(57)【要約】【課題】ハイバネーション処理を実行しつつ、データを格納する記憶媒体の寿命の低下を抑えることの可能な電子機器及び情報処理方法を提供することを課題とする。【解決手段】電子機器は、第１の起動時に、記憶媒体に記憶されている第１のイメージであって、前記第１の起動の前の第２の起動中のワークメモリの状態を示す前記第１のイメージを、前記ワークメモリに展開する展開手段と、前記展開手段によって前記ワークメモリ上に展開された前記第１のイメージに対してデータ更新処理を実行する処理手段と、前記処理手段の前記データ更新処理によって更新された箇所のイメージである第２のイメージを記憶媒体に記憶させる記憶手段と、前記第１の起動よりも後の第３の起動時に、前記第１のイメージと前記第２のイメージとに基づいて前記データ更新処理によって更新されたイメージを作成し、前記メモリに展開する作成手段と、を具備する。【選択図】図３
2012080292.tif 000002
【特許請求の範囲】
【請求項１】
第１の起動時に、記憶媒体に記憶されている第１のイメージであって、前記第１の起動の前の第２の起動中のワークメモリの状態を示す前記第１のイメージを、前記ワークメモリに展開する展開手段と、
前記展開手段によって前記ワークメモリ上に展開された前記第１のイメージに対してデータ更新処理を実行する処理手段と、
前記処理手段の前記データ更新処理によって更新された箇所のイメージである第２のイメージを記憶媒体に記憶させる記憶手段と、
前記第１の起動よりも後の第３の起動時に、前記第１のイメージと前記第２のイメージとに基づいて前記データ更新処理によって更新されたイメージを作成し、前記メモリに展開する作成手段と、
を具備する電子機器。
【請求項２】
前記記憶手段は、前記第２のイメージが所定サイズより小さい場合には前記第２のイメージを前記記憶媒体に記憶させ、前記第２のイメージが前記所定サイズより大きい場合には前記第２のイメージを前記記憶媒体に記憶させない請求項１記載の電子機器。
【請求項３】
前記記憶手段は、前記第２のイメージが前記所定サイズより大きい場合には前記第２のイメージを前記記憶媒体に記憶させず、前記データ更新処理によって更新されたイメージを記憶媒体に記憶させる請求項１記載の電子機器。
【請求項４】
前記作成手段は、第１のイメージと第２のイメージとをマージすることで、前記データ更新処理によって更新されたイメージを作成する請求項１記載の電子機器。
【請求項５】
前記第１のイメージは圧縮されており、
前記記憶手段は、前記第２のイメージを圧縮して前記記憶媒体に記憶させ、
前記作成手段は、圧縮された前記第１のイメージと圧縮された前記第２のイメージとを伸張してマージすることで、前記データ更新処理によって更新されたイメージを作成する請求項１記載の電子機器。
【請求項６】
通常モードとデータ更新モードとのどちらかのモードで動作する電子機器であって、
前記データ更新モードで起動したとき、前記処理手段が前記データ更新処理を実行し、前記記憶手段が前記第２のイメージを記憶媒体に記憶させる請求項１記載の電子機器。
【請求項７】
前記データ更新処理は番組表に関するデータを更新する処理である請求項１記載の電子機器。
【請求項８】
第１の起動時に、記憶媒体に記憶されている第１のイメージであって、前記第１の起動の前の第２の起動中のワークメモリの状態を示す前記第１のイメージを、前記ワークメモリに展開し、
前記ワークメモリ上に展開された前記第１のイメージに対してデータ更新処理を実行すし、
前記データ更新処理によって更新された箇所のイメージである第２のイメージを記憶媒体に記憶させ、
前記第１の起動よりも後の第３の起動時に、前記第１のイメージと前記第２のイメージとに基づいて前記データ更新処理によって更新されたイメージを作成し、前記メモリに展開する情報処理方法。
【発明の詳細な説明】
【技術分野】
【０００１】
本発明の実施形態は電子機器及び情報処理方法に関する。
【背景技術】
【０００２】
近年、技術開発によって電子機器の高速処理技術が発展している。この電子機器の高速処理技術の中には高速起動技術が含まれる。
【０００３】
電子機器の高速起動技術として、ある時点でメモリに格納されているデータをそのままイメージとして例えばフラッシュメモリ、ＨＤＤ（Hard Disk Drive）等の記憶媒体に記憶しておき、次回起動時にはこのイメージを利用することで、起動処理を高速化するハイバネーション技術が存在する。
【先行技術文献】
【特許文献】
【０００４】
【特許文献１】特開２００６−１２７２８７号公報
【発明の概要】
【発明が解決しようとする課題】
【０００５】
電子機器によっては、複数の動作モードによって動作する機器が存在し、例えば動作開始時から動作終了時までにメモリ上のデータが大きくは変更されない動作モードが存在することがある。
【０００６】
このような動作モードで動作した場合であって、ハイバネーション処理を実行する場合に、メモリ内のイメージを毎回、フラッシュメモリ、ＨＤＤ等の記憶媒体に全て書き込ませると、記憶媒体へのデータ書き込み量が大きくなり、記憶媒体の寿命が低下を招いてしまうおそれがあった。
【０００７】
本実施形態は上記に鑑みてなされた提案であって、ハイバネーション処理を実行しつつ、データを格納する記憶媒体の寿命の低下を抑えることの可能な電子機器及び情報処理方法を提供することを課題とする。
【課題を解決するための手段】
【０００８】
本発明の実施の形態における電子機器は、第１の起動時に、記憶媒体に記憶されている第１のイメージであって、前記第１の起動の前の第２の起動中のワークメモリの状態を示す前記第１のイメージを、前記ワークメモリに展開する展開手段と、前記展開手段によって前記ワークメモリ上に展開された前記第１のイメージに対してデータ更新処理を実行する処理手段と、前記処理手段の前記データ更新処理によって更新された箇所のイメージである第２のイメージを記憶媒体に記憶させる記憶手段と、前記第１の起動よりも後の第３の起動時に、前記第１のイメージと前記第２のイメージとに基づいて前記データ更新処理によって更新されたイメージを作成し、前記メモリに展開する作成手段と、を具備する。
【図面の簡単な説明】
【０００９】
【図１】実施形態におけるＤＴＶの内部構成の一例を示すブロック図。
【図２】実施形態における通常モード起動の場合のハイバネーション処理の一例を説明するための概念図。
【図３】実施形態におけるデータ行進モード起動の場合のハイバネーション処理の一例を説明するための概念図。
【図４】実施形態におけるＤＴＶの処理フローの一例を示すフロー図。
【発明を実施するための形態】
【００１０】
以下で実施の形態を図面を参照しながら説明する。
【００１１】
図１は本実施形態におけるＤＴＶ１の内部構成の一例を示すブロック図である。
【００１２】
ＤＴＶ１は例えばデジタルテレビ（Digital Television）であって、本実施形態における電子機器の一例である。ＤＴＶ１は放送波を受信して、受信した放送波に基づいて映像を表示する機能を有している。本実施形態では、電子機器の一例としてデジタルテレビを示すがこれに限定されず、例えばパーソナルコンピュータ、携帯電話、さらにはマイコン（Microcomputer）を搭載した家電等の電子機器において本発明を適用するとしてもよい。
【００１３】
プロセッサ１０１は、例えば中央演算処理装置（Central Processing Unit）であり、不揮発性メモリ１０２に格納されているプログラムを実行して所定の処理を行うことで、ＤＴＶ１全体を制御している。
【００１４】
不揮発性メモリ１０２は、例えばＮＡＮＤフラッシュメモリ等の半導体メモリによって構成される不揮発性の記憶媒体である。不揮発性メモリ１０２にはプロセッサ１０１が実行する各種プログラムが格納されている。
【００１５】
メモリ１０３は、ランダムアクセス可能な記憶媒体であって、プロセッサ１０１がプログラムを実行する際のワークメモリとして使用される。プロセッサ１０１は不揮発性メモリ１０２よりメモリ１０３にプログラムを読み出し、プログラムを実行する。
【００１６】
入力部１０４はＤＴＶ１に対してのユーザからの操作指示を電気信号として入力する機能を有する。入力部１０４は例えば、ＤＴＶ１に設置されたユーザ操作ボタンや遠隔操作の可能なリモコンからの操作信号を受光する受光部等が考えられる。ユーザはリモコン等により操作入力を行い、入力部１０４を介して、ＤＴＶ１の各種操作を行う。
【００１７】
表示部１０５は例えば液晶パネル等のディスプレイであり、画像を出力する機能を有する。
【００１８】
表示制御部１０６はプロセッサ１０１からの描画指示や、デコーダ１１０でデコード処理された画像情報等に基づいて、ＤＴＶ１が表示を行う画像の描画を行い、表示部１０５に表示を行う。
【００１９】
スピーカ１０７における音声出力装置であり、ＤＴＶ１の音声情報をユーザに対して出力する機能を有している。
【００２０】
音声制御部１０８はプロセッサ１０１からの指示や、デコーダ１１０でデコード処理された音声情報等に基づいて、ＤＴＶ１が出力する音声を生成し、スピーカ１０７に音声を出力させる機能を有している。
【００２１】
チューナ１０９は、図示しないアンテナが受信した放送波にチューニングを行い、所定の放送信号を取得する機能を有している。
【００２２】
デコーダ１１０はチューナ１０９が取得した放送信号にデコード処理を行い、映像信号、音声信号、およびデータ信号として出力する機能を有している。プロセッサ１０１はこのデータ信号によって示される番組関連情報に基づいて番組表（ＥＰＧ：Electric Program Guide）を作成することが出来る。
【００２３】
バス１１１はＤＴＶ１内の接続される各モジュールを通信可能に接続している。
【００２４】
ＤＴＶ１は起動状態について、電源ＯＦＦ状態、電源ＯＮ状態、及び休止状態を遷移する。
【００２５】
電源ＯＦＦ状態とは、ＤＴＶ１内のほぼ全てのモジュールに電源が供給されていない状態であって、例えばユーザが入力部１０４の電源ボタンによって電源ＯＦＦ操作することでＤＴＶ１は電源ＯＦＦ状態となる。
【００２６】
電源ＯＮ状態とは、ＤＴＶ１内の多くのモジュールに電源が供給されている状態であって、例えばユーザが入力部１０４の電源ボタンによって電源ＯＮ操作することでＤＴＶ１は電源ＯＮ状態となる。電源ＯＮ状態ではプロセッサ１０１、表示部１０５等にも電源が供給されており、ＤＴＶ１はチューナ１０９で取得した放送を表示部１０５に表示することができる。
【００２７】
また、休止状態とはＤＴＶ１内の例えば入力部１０４、プロセッサ１０１等の一部のモジュールに電源が供給されている状態であって、例えばリモコンからの操作等によってＤＴＶ１は休止状態へと遷移する。
【００２８】
また本実施形態におけるＤＴＶ１は、ハイバネーション処理を実行することが出来る。ハイバネーション処理とは、電源ＯＮ時のある時点でメモリ１０３に格納されている各種プログラム、データ等をそのままイメージとして不揮発性メモリ１０２に記憶して休止状態に入り、次回の休止状態からの復帰時に（電源ＯＮへの遷移時に）このイメージそのままメモリ１０３に転送して使用することで、上記のある時点での処理状態からＤＴＶ１の復帰を行う処理（休止状態と電源ＯＮ状態との遷移についての処理）である。ＤＴＶ１はハイバネーション処理を実行する際には、起動処理（起動に関するプログラムについての処理）を毎回実行する必要が無く、起動の高速化を図ることができる。
【００２９】
また、本実施形態におけるＤＴＶ１は通常モードとデータ更新モードとの二つの動作モードによって動作することが出来る。
【００３０】
通常モードとは、通常通りの処理を実行する動作モードであって、ユーザがＤＴＶ１を鑑賞する際等に用いられる動作モードである。ＤＴＶ１は、通常モードで動作する場合、チューナ１０９より得られる放送信号（映像信号）に基づいて、表示部１０５に放送を表示する。
【００３１】
データ更新モードとは、自動的に、例えば番組表のデータを更新するための動作モードである。ＤＴＶ１は休止状態の間、例えば所定時間間隔毎にデータ更新モードによって起動（電源ＯＮ状態への遷移）し、番組表のデータを更新する。ここで、データ更新モードによって起動したときのＤＴＶ１の内部処理について説明する。まず、データ更新モードによって起動したとき、プロセッサ１０１はチューナ１０９及びデコーダ１１０を制御し、所望のデータ信号を受信する。次にプロセッサ１０１は、受信したデータ信号によって示される番組関連情報に基づいて不揮発性メモリ１０２に記憶されている番組表のデータを更新する。最後に、番組表のデータ更新が完了すると、データ更新モードによる起動は終了となり、起動状態は再び休止状態へと遷移する。データ更新モードによる起動を実行すると、ユーザによって電源ＯＮ状態となっていないときであっても、番組表のデータを更新することができるため、ユーザが通常モードによってＤＴＶ１を起動し番組表を閲覧する際には、データ更新モードによる起動を実行しない場合よりも新しい番組表を早期に閲覧できる可能性が高くなる。
【００３２】
以下では本実施形態におけるＤＴＶ１が、通常モードで動作する場合と、データ更新モードで動作する場合のそれぞれのハイバネーション処理についての説明を行う。
【００３３】
図２は本実施形態における通常モード動作の場合のハイバネーション処理の一例を説明するための概念図である。
【００３４】
ＤＴＶ１が通常モードで起動しているとき、例えばユーザからの休止状態への遷移指示があると、プロセッサ１０１はハイバネーション処理におけるイメージ記憶処理を実行して、メモリ１０３のイメージを記憶する。つまり、プロセッサ１０１はこのときのメモリ１０３内のイメージ２１を圧縮して、圧縮イメージ２２として不揮発性メモリ１０２に格納する。
【００３５】
次回の電源ＯＮ時には、プロセッサ１０１はこの不揮発性メモリ１０２に格納されている圧縮イメージ２２を伸張して、イメージ２１として再びメモリ１０３に展開する。プロセッサ１０１はイメージ２１を利用することで、前回の休止状態の遷移時の状態からＤＴＶ１を起動することができ、起動プログラムを実行する必要がないため、起動の高速化を図ることができる。
【００３６】
次にデータ更新モードによる起動におけるハイバネーション処理について説明を行う。
【００３７】
図３は本実施形態におけるデータ更新モード動作の場合のハイバネーション処理の一例を説明するための概念図である。
【００３８】
ここでは、一度通常モードによる起動を実行し、ハイバネーション処理によって圧縮イメージ２１が不揮発性メモリ１０２に格納されている状態で、ＤＴＶ１がデータ更新モードで動作を実行する場合を考える。
【００３９】
まず、データ更新モード起動時にはプロセッサ１０１は前回の通常モード動作時のハイバネーション処理によって不揮発性メモリ１０２に格納されている圧縮イメージ２２を伸張して、イメージ２１としてメモリ１０３に書き出す。プロセッサ１０１はこのイメージ２１よりデータ更新処理を開始する。
【００４０】
データ更新処理は番組表に関するデータをより新しいデータの更新するための処理であるため、イメージ２１のうちデータが更新される箇所は、番組関連情報に関する決まった箇所となる。本実施形態ではデータ更新処理によってイメージ２１から更新されたイメージをイメージ３１とし、データ更新処理によって更新された箇所のイメージを更新イメージａ３２、更新イメージｂ３３とする。つまり、更新イメージａ３２及び更新イメージｂ３３はイメージ３１とイメージ２１との間の差分となっている。
【００４１】
本実施形態のＤＴＶ１においては、データ更新モードの動作終了時には、プロセッサ１０１はメモリ１０３上の全てのイメージを圧縮して、不揮発性メモリ１０２に格納するのではなく、更新された箇所（イメージ３１とイメージ２１との間の差分）である更新イメージａ３２及び更新イメージｂ３３のみを圧縮して、圧縮更新イメージａ３４及び圧縮更新イメージｂ３５として不揮発性メモリ１０２に格納する。また、イメージ２１から更新された箇所についての情報も記憶する。ＤＴＶ１は圧縮更新イメージａ３４及び圧縮更新イメージｂ３５の格納後、データ更新モードによる動作を終了し、再び休止状態へと遷移する。
【００４２】
本実施形態におけるＤＴＶ１では、データ更新モードの終了時にはメモリ１０３上の全てのイメージを圧縮して不揮発性メモリ１０２に格納するのではなく、データの更新された箇所（メモリ１０３上のイメージの一部）をハイバネーション処理用のイメージとして不揮発性メモリ１０２に記憶するため、不揮発性メモリ１０２のデータ書き換え量が低減し、不揮発性メモリ１０２の長寿命化に寄与する。
【００４３】
データ更新モードによる処理を実行した後の、次回起動（電源ＯＮ）時には、プロセッサ１０１は、ＤＴＶ１が記憶するイメージ２１から更新された箇所についての情報に基づいて、不揮発性メモリ１０２に格納された圧縮イメージ２２と、圧縮更新イメージａ３４及び圧縮更新イメージｂ３５から、データ更新後のイメージ３１を作成することができる。この起動時には、ＤＴＶ１はこの作成されたイメージ３１を用いて処理を実行することで、データが更新された状態で高速起動を実行することができる。
【００４４】
次に、本実施形態における処理フローについて説明を行う。
【００４５】
図４は本実施形態におけるＤＴＶ１の処理フローの一例を示すフロー図である。
【００４６】
ここではＤＴＶ１が電源ＯＦＦ状態又は休止状態から電源ＯＮ状態へと遷移し、電源ＯＮ状態での各種処理の実行後、休止状態への移る場合を例に挙げて説明を行う。
【００４７】
まず、ＤＴＶ１の電源ＯＮがされると（ステップＳ４０１）、プロセッサ１０１はこの電源ＯＮが休止状態からの復帰であるか否かを判別する（ステップＳ４０２）。
【００４８】
ステップＳ４０２において、休止状態からの復帰ではないと判別すると（ステップＳ４０２：Ｎｏ）（電源ＯＦＦ状態からの復帰）、プロセッサ１０１は不揮発性メモリ１０２に格納された起動プログラムを含む各種プログラムをメモリ１０３へと読み出し（ステップＳ４０３）、これらのプログラムを実行する。
【００４９】
起動処理終了後、ＤＴＶ１は例えばチューナ１０９によって取得した放送波を表示部１０５に表示する等の通常の動作を実行する（ステップＳ４０４）。
【００５０】
次に、ＤＴＶ１は例えばユーザから、電源ＯＮ状態から休止状態への遷移指示を受信したか否かを判別する（ステップＳ４０５）。ステップＳ４０５において指示を受信していない間は（ステップＳ４０５：Ｎｏ）、ステップＳ４０４へと戻り、ＤＴＶ１は通常の動作を継続する。
【００５１】
ステップＳ４０５においてから休止状態への遷移指示を受信したとき（ステップＳ４０５：Ｙｅｓ）、プロセッサ１０１はこのときのメモリ１０３上のイメージを圧縮して、不揮発性メモリ１０２に格納する（ステップＳ４０６）。
【００５２】
ステップＳ４０６の終了後ＤＴＶ１は休止状態へと遷移し（ステップＳ４０７）、一連の処理は終了となる。
【００５３】
ステップＳ４０２において、プロセッサ１０１が休止状態からの復帰であると判別するとき（ステップＳ４０２：Ｙｅｓ）、プロセッサ１０１は展開手段として、不揮発性メモリ１０２に圧縮して格納されている圧縮イメージを伸張して、メモリ１０３に展開する。このときプロセッサ１０１は、前回起動がデータ更新モードでの起動であった場合には、更新された箇所に関する情報に基づいて、不揮発性メモリ１０２に格納された圧縮イメージ及び圧縮差分イメージより、データ更新モードによって更新された後のイメージを作成して（作成手段）、メモリに展開する（ステップＳ４０８）。
【００５４】
次に、プロセッサ１０１は、今回の起動（電源ＯＮ）がデータ更新モードでの起動であるか否かの判別を行う（ステップＳ４０９）。
【００５５】
ステップＳ４０９において、データ更新モードでないと判別するとき（ステップＳ４０９：Ｎｏ）、処理フローはステップＳ４０４に進み、ＤＴＶ１は通常動作を行う。
【００５６】
ステップＳ４０９において、データ更新モードであると判別するとき（ステップＳ４０９：Ｙｅｓ）、次にユーザからの通常モードへの変更指示を受け付けたか否かの判別を行う（ステップＳ４１０）。データ更新モードは表示部１０５に何も表示せず、番組表のデータ更新のみを実行する動作モードであり、基本的にユーザは動作していることを知らない。ユーザが電源をＯＮする場合には通常、放送の視聴等の目的で電源をＯＮするため、ＤＴＶ１はデータ更新モードではなく、通常モードで起動する必要がある。つまり、ここでの通常モードへの変更指示を受け付けたか否かの判別とは、ユーザから電源ＯＮ指示を受けたか否かの判別を指し、ユーザから電源ＯＮ指示を受けた場合には（ステップＳ４１０：Ｙｅｓ）、フローはステップＳ４０４に進み、ＤＴＶ１は通常動作を行う。
【００５７】
ステップＳ４１０において、ユーザからの通常モードへの変更指示を受け付けなかったとき（ステップＳ４１０：Ｎｏ）、プロセッサ１０１は処理手段として番組関連情報のデータ更新処理を実行する（ステップＳ４１１）。
【００５８】
データ更新処理が完了しない間は（ステップＳ４１２：Ｎｏ）、プロセッサ１０１はデータ更新処理を継続し、データ更新処理が完了すると（ステップＳ４１２：Ｙｅｓ）、プロセッサ１０１は差分情報処理を実行する（ステップＳ４１３）。ここでの差分情報処理とは、メモリ１０３上の更新された箇所を特定して記憶し、更新されたイメージを圧縮する処理を指す。データ更新モードで動作するとき、プロセッサ１０１はメモリ１０３上のデータが更新された箇所のログをとっておき、次回起動時にはこのログの情報に基づいて復帰後のイメージを作成する。
【００５９】
ステップＳ４１３の終了後、プロセッサ１０１は差分情報を用いてハイバネーション処理を実行するか否かの判別を行う（ステップＳ４１４）。この判別は差分イメージのデータサイズに基づいて行われる。差分イメージのデータサイズが大きいため不揮発性メモリ１０２に格納できない場合や、差分イメージのデータサイズが大きいため休止状態から復帰した際のイメージのマージに一定以上の時間がかかってしまう場合には、プロセッサ１０１は差分情報を用いてハイバネーション処理を実行しないと判別する。
【００６０】
ステップＳ４１４で、プロセッサ１０１が差分情報を用いてハイバネーション処理を実行しないと判別したとき（ステップＳ４１４：Ｎｏ）、処理フローはステップＳ４０６に進み、プロセッサ１０１はこのときのメモリ１０３上の全てのイメージを圧縮して、不揮発性メモリ１０２に格納する。換言すると、プロセッサ１０１は圧縮したイメージを記憶手段として、不揮発性メモリ１０２に記憶させる。
【００６１】
ステップＳ４１４で、プロセッサ１０１が差分情報を用いてハイバネーション処理を実行すると判別したとき（ステップＳ４１４：Ｙｅｓ）、この差分情報（圧縮差分イメージ）とデータ更新箇所のログの情報を不揮発性メモリ１０２に格納する（ステップＳ４１４）。換言すると、プロセッサ１０１は圧縮したイメージを記憶手段として、不揮発性メモリ１０２に記憶させる。
【００６２】
ステップＳ４１４の終了後ＤＴＶ１は休止状態へと遷移し（ステップＳ４０７）、一連の処理は終了となる。
【００６３】
本実施形態では、前回起動時のメモリ１０３の状態を示すイメージと、差分イメージとの両方を不揮発性メモリ１０２に格納したが、これに限定されず、差分イメージを異なる不揮発性メモリに格納するとしてもよい。このとき、差分イメージを格納する不揮発性メモリがＦＥＲＡＭ（Ferroelectric Random Access Memory）やＭＲＡＭ（Magnetic Random Access Memory）のようなリニアにアクセス可能な記憶媒体である場合には、マージ処理の必要がなく、メモリのテーブルを書き換えることで高速に休止状態より復帰することが可能となる。
【００６４】
本実施形態におけるＤＴＶ１では、データ更新モードにおけるハイバネーション処理では差分イメージのみを不揮発性メモリ１０２に格納するため、全てのイメージを格納する場合と比較して、高速な休止状態への遷移を実行することができる。
【００６５】
また、本実施形態におけるＤＴＶ１ではハイバネーション処理を実行しつつ、データを格納する記憶媒体の寿命の低下を抑えることの可能となる。
【００６６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６７】
１…ＤＴＶ、１０１…プロセッサ、１０２…不揮発性メモリ、１０３…メモリ、１０４…入力部、１０５…表示部、１０６…表示制御部、１０７…スピーカ、１０８…音声制御部、１０９…チューナ、１１０…デコーダ、１１１…バス、２１…イメージ、２２…圧縮イメージ、３１…イメージ、３２…更新イメージａ、３３…更新イメージｂ、３４…圧縮更新イメージａ、３５…圧縮更新イメージｂ。
【図１】
2012080292.tif 000003
【図２】
2012080292.tif 000004
【図３】
2012080292.tif 000005
【図４】
2012080292.tif 000006